(57)【要約】【課題】温度または照度を調節する環境調整装置を含む所定空間に居る人の快適性を損なうことなく、電力を抑える制御を実施する。【解決手段】環境調整装置を制御する制御装置は、環境調整装置の運転スケジュールに基づいて、環境調整装置の動作を制御する第１制御部と、所定空間の環境情報が検出された場合、環境調整装置の消費電力を削減するための環境調整装置の設定値の変更量を示す第１指示を第１制御部に出力する第２制御部と、所定空間で消費される総消費電力の予測値が目標電力を超える場合、環境調整装置の消費電力を削減するための環境調整装置の設定量を示す第２指示を第１制御部に出力する第３制御部と、を有し、第１制御部は運転スケジュールに設定された環境調整装置の設定値と、第１指示と、第２指示とに基づいて、環境調整装置に設定する設定値を算出する。【選択図】図１
2020087867.tif 000002
【特許請求の範囲】
【請求項１】
電力を使用して所定空間の環境を調整する環境調整装置を制御する制御装置であって、
予め設定された前記環境調整装置の運転スケジュールに基づいて、前記環境調整装置の動作を制御する第１制御部と、
前記所定空間の環境情報が検出された場合、前記環境調整装置の消費電力を削減するための前記環境調整装置の設定値の変更量を示す第１指示を前記第１制御部に出力する第２制御部と、
前記所定空間で消費される総消費電力の予測値が目標電力を超える場合、前記環境調整装置の消費電力を削減するための前記環境調整装置の設定量を示す第２指示を前記第１制御部に出力する第３制御部と、を有し、
前記第１制御部は前記運転スケジュールに設定された前記環境調整装置の設定値と、
前記第１指示と、前記第２指示とに基づいて、前記環境調整装置に設定する設定値を算出する
ことを特徴とする制御装置。
【請求項２】
前記環境調整装置は照明装置であり、
前記環境情報は前記所定空間内の人の在を示す在情報、又は人の不在を示す不在情報であり、
前記第２制御部は、前記不在情報を受信した場合、前記環境調整装置の消費電力を削減するための前記環境調整装置の設定値の変更量を示す第１指示を前記第１制御部に出力する、
ことを特徴とする請求項１に記載の制御装置。
【請求項３】
前記第２制御部は、前記不在情報を受信した場合、前記照明装置が出力する光量の低下量を示す前記第１指示を前記第１制御部に出力し、
前記第３制御部は、前記予測値が前記目標電力を超える場合、前記照明装置が出力する光量の低下量を示す前記第２指示を前記第１制御部に出力することを特徴とする請求項２に記載の制御装置。
【請求項４】
前記環境調整装置は照明装置であり、
前記環境情報は所定空間に設置される照度センサにより検出される照度情報であり、
前記第２制御部は、前記照度情報に基づいて、照度を一定にさせる前記照明装置の光量を示す第３指示を前記第１制御部に出力し、
前記第１制御部は、前記第３指示を受けた場合、前記照明装置が出力する光量を、前記運転スケジュールに設定された光量の代わりに前記第３指示で示される光量に設定することを特徴とする請求項１に記載の制御装置。
【請求項５】
前記環境調整装置は空気調和装置であり、
前記環境情報は人の在を示す在情報、又は人の不在を示す不在情報であり、
前記第２制御部は、前記不在情報を受信した場合、前記空気調和装置の設定温度の変更量を示す前記第１指示を前記第１制御部に出力し、
前記第３制御部は、前記予測値が前記目標電力を超える場合、前記空気調和装置の設定温度の変更量を示す前記第２指示を前記第１制御部に出力する
ことを特徴とする請求項１に記載の制御装置。
【請求項６】
前記第３制御部は、
前記予測値が前記目標電力を超える場合に変更される前記空気調和装置の設定の変更仕様が、前記空気調和装置の設定温度の変更量を示す場合、前記空気調和装置の設定温度の変更量を示す前記第２指示を前記第１制御部に出力し、
前記変更仕様が、前記空気調和装置の送風モードへの変更を示す場合、送風モードへの変更を示す第４指示を前記第１制御部に出力し、
前記変更仕様が、前記空気調和装置の停止を示す場合、前記空気調和装置の停止を示す第５指示を前記第１制御部に出力し、
前記第１制御部は、前記第４指示または前記第５指示を受けた場合、前記第１指示にかかわりなく、前記第４指示または前記第５指示に基づいて前記空気調和装置の設定を変更することを特徴とする請求項５に記載の制御装置。
【請求項７】
前記環境調整装置は空気調和装置であり、
前記環境情報は前記所定空間において人が滞在可能な高さに配置された温度センサにより検出される前記所定の空間の温度に基づいて算出される前記空気調和装置の設定温度の変更量を示す第６指示を前記第１制御部に出力し、
前記第１制御部は、前記運転スケジュールに設定された前記環境調整装置の設定値と、前記第２指示と、前記第６指示とに基づいて、前記空気調和装置に設定する設定温度を算出することを特徴とする請求項４または請求項５に記載の制御装置。
【請求項８】
前記第３制御部は、前記予測値の前記目標電力に対する超過量に応じて生成される複数の警報毎に、前記第２指示が示す変更量を変えることを特徴とする請求項１ないし請求項７のいずれか１項に記載の制御装置。
【請求項９】
前記第１制御部は、前記運転スケジュールとは異なる条件で前記環境調整装置の動作を制御する手動モード中に、前記第３制御部から前記第２指示を受信した場合、前記手動モードを解除して、前記運転スケジュールに基づく制御に移行し、前記運転スケジュールに設定された前記環境調整装置の設定値と、前記第１指示と、前記第２指示とに基づいて、前記環境調整装置に設定する設定値を算出することを特徴とする請求項１ないし請求項８のいずれか１項に記載の制御装置。
【請求項１０】
電力を使用して所定空間の温度または照度を調節する環境調整装置を制御する制御装置を有する制御システムであって、
前記制御装置は、
予め設定された前記環境調整装置の運転スケジュールに基づいて、前記環境調整装置の動作を制御する第１制御部と、
前記所定空間の環境情報が検出された場合、前記環境調整装置の消費電力を削減するための前記環境調整装置の設定値の変更量を示す第１指示を前記第１制御部に出力する第２制御部と、
前記所定空間で消費される総消費電力の予測値が目標電力を超える場合、前記環境調整装置の消費電力を削減するための前記環境調整装置の設定値の変更量を示す第２指示を前記第１制御部に出力する第３制御部と、を有し、
前記第１制御部は、前記運転スケジュールに設定された前記環境調整装置の設定値と、前記第１指示と、前記第２指示とに基づいて、前記環境調整装置に設定する設定値を算出することを特徴とする制御システム。
【請求項１１】
前記予測値が前記目標電力を超える場合、前記予測値の前記目標電力に対する超過量に応じて複数の警報を生成する電力監視装置と、
前記運転スケジュールと、前記環境情報が検出された場合の前記環境調整装置の設定値の変更量と、前記予測値が前記目標電力を超える場合の前記超過量に応じた前記環境調整装置の設定値の変更量とを管理する管理装置と、を有し、
前記第３制御部は、前記複数の警報のいずれかが生成された場合、生成された警報に対応する前記超過量に応じて前記管理装置が管理する前記環境調整装置の設定値の変更量を示す前記第２指示を前記第１制御部に出力することを特徴とする請求項１０に記載の制御システム。
【請求項１２】
電力を使用して所定空間の温度または照度を調節する環境調整装置を制御する制御装置による前記所定空間の環境の制御方法であって、
予め設定された前記環境調整装置の運転スケジュールに基づいて、前記環境調整装置の動作を制御し、
前記所定空間の環境情報が検出された場合、前記環境調整装置の消費電力を削減するための前記環境調整装置の設定値の変更量を示す第１指示を出力し、
前記所定空間で消費される総消費電力の予測値が目標電力を超える場合、前記環境調整装置の消費電力を削減するための前記環境調整装置の設定量を示す第２指示を出力し、
前記運転スケジュールに設定された前記環境調整装置の設定値と、前記第１指示と、前記第２指示とに基づいて、前記環境調整装置に設定する設定値を算出することを特徴とする制御方法。
【発明の詳細な説明】
【技術分野】
【０００１】
本発明は、制御装置、制御システムおよび制御方法に関する。
【背景技術】
【０００２】
例えば、大型店舗などで使用する電力の契約電力（電気料金）は、３０分間の平均電力である需要電力のうち、１ヶ月間での最大需要電力により決まるため、電気料金を節約するためには、需要電力が最大需要電力を超えないようにする必要がある。例えば、リレーを用いた電力のスケジュール制御を照明、空調、冷蔵設備毎に実施するとともに、需要電力の予測に基づいて電力のピークカット制御を実施することで、使用電力が最大需要電力を超えないように制御する手法が提案されている（特許文献１）。
【発明の概要】
【発明が解決しようとする課題】
【０００３】
しかしながら、リレーにより使用電力の制御を実施する場合、人の有無にかかわりなく照明や空調等が強制的にオフされるため、人が居るオフィス等に適用する場合、快適性が損なわれるという問題がある。また、人が居ない場合にも照明や空調が動作する可能性があるため、消費電力の削減効果が低いという問題がある。
【０００４】
本発明は、温度または照度を調節する環境調整装置を含む所定空間に居る人の快適性を損なうことなく、電力を抑える制御を実施することを目的とする。
【課題を解決するための手段】
【０００５】
上記技術的課題を解決するため、本発明の一形態の制御装置は、電力を使用して所定空間の温度または照度を調節する環境調整装置を制御する制御装置であって、予め設定された前記環境調整装置の運転スケジュールに基づいて、前記環境調整装置の動作を制御する第１制御部と、前記所定空間の環境情報が検出された場合、前記環境調整装置の消費電力を削減するための環境調整装置の設定値の変更量を示す第１指示を第１制御部に出力する第２制御部と、前記所定空間で消費される総消費電力の予測値が目標電力を超える場合、前記環境調整装置の消費電力を削減するための前記環境調整装置の設定量を示す第２指示を前記第１制御部に出力する第３制御部と、を有し、前記第１制御部は、前記運転スケジュールに設定された前記環境調整装置の設定値と、前記第１指示と、前記第２指示とに基づいて、前記環境調整装置に設定する設定値を算出することを特徴とする。
【発明の効果】
【０００６】
温度または照度を調節する環境調整装置を含む所定空間に居る人の快適性を損なうことなく、電力を抑える制御を実施することができる。
【図面の簡単な説明】
【０００７】
【図１】本発明の一実施形態に係る制御システムの一例を示すブロック図である。
【図２】図１の各装置の接続関係の一例を示す接続図である。
【図３】図１の制御装置のハードウェア構成の一例を示すブロック図である。
【図４】図１の制御装置の機能構成の一例を示すブロック図である。
【図５】図１の照明の運転スケジュールの設定画面の一例を示す説明図である。
【図６】図５の照明の運転スケジュールにおいて、人感連動が有効状態に設定された場合の照明の制御の一例を示す説明図である。
【図７】図１の空調機の運転スケジュールの設定画面の一例を示す説明図である。
【図８】制御装置が警報を検出した場合に警報レベルに応じて実施するデマンド制御の設定画面の一例を示す説明図である。
【図９】図１の制御装置による照明の制御の一例を示す説明図である。
【図１０】図１の制御装置による空調機の制御の一例を示す説明図である。
【図１１】図１の電力監視装置の動作の一例を示すフローチャートである。
【図１２】図１の制御装置の警報監視動作の一例を示すフローチャートである。
【図１３】図１の管理装置の動作の一例を示すフローチャートである。
【図１４】図１の制御装置の制御動作の一例を示すフローチャートである。
【図１５】図６のステップＳ４２の動作の一例を示すフローチャートである。
【図１６】図６のステップＳ４３の動作の一例を示すフローチャートである。
【発明を実施するための形態】
【０００８】
以下、図面を用いて実施形態を説明する。
【０００９】
図１は、本発明の一実施形態に係る制御システムの一例を示すブロック図である。図１に示す制御システム１００は、例えば、オフィスなどの居室３００の温度と明るさ（照度）とを制御するために設けられる。図１では、説明を分かりやすくするために、居室３００を天井側と床側に分けて記載している。居室３００は、所定空間の一例である。
【００１０】
制御システム１００は、居室３００の温度と明るさとを制御する制御装置１０、所定数の照度センサ１２、所定数の人感センサ１４、所定数の温度センサ１６およびインタネット等のネットワークＮＷを介して制御装置１０に接続される管理装置１８を有する。照度センサ１２は、居室３００の天井に、ほぼ均等な間隔で分散して配置される。人感センサ１４は、居室３００の天井に分散して配置される。温度センサ１６は、居室３００の床に配置された机２０の上に分散して配置される。
【００１１】
各照度センサ１２は、居室３００内の所定の範囲の照度を計測し、各人感センサ１４は、居室３００内の所定の範囲に人が居るか否かを検出する。所定数の人感センサ１４により、居室３００内に人の在／不在の検出が可能である。例えば、人感センサ１４は、赤外線等を使用して人の熱を検出する熱センサであるが、他のセンサが使用されてもよい。
温度センサ１６は、温度センサ１６の周囲の空気の温度を計測する。なお、温度センサ１６の代わりに、温度と湿度とを計測可能な温湿度センサが配置されてもよい。照度センサ１２が検出する照度、人感センサ１４が検出する人の在／不在（在情報／不在情報）および温度センサ１６が検出する温度のそれぞれは、環境情報の一例である。
【００１２】
制御装置１０は、例えば、ＬＡＮ（Local Area Network）を介してネットワークＮＷに接続される。ＬＡＮは、有線でも無線でもよく、また、制御装置１０は、ＬＡＮ以外の方式でネットワークＮＷに接続されてもよい。この実施形態では、ネットワークＮＷを介して相互に接続される制御装置１０と管理装置１８により、クラウドコンピューティングによるサービスが提供され、管理装置１８は、クラウドコンピュータとして機能する。
【００１３】
なお、管理装置１８の機能が制御装置１０に含まれてもよく、この場合、制御システム１００は、独立した管理装置１８を持たず、制御装置１０が単独で居室３００の温度と明るさとを制御する。なお、制御装置１０は、ネットワークＮＷを介することなく、管理装置１８に直接接続されてもよい。
【００１４】
制御装置１０は、無線ネットワーク(図示せず)を介して照度センサ１２、人感センサ１４および温度センサ１６と接続される。なお、図１では、制御装置１０は、居室３００内に配置されているが、照度センサ１２、人感センサ１４および温度センサ１６と無線通信が可能であれば、居室３００の外に配置されてもよい。
【００１５】
居室３００の天井には、所定数の照明２２と所定数の空調室内機２４ａとが設置されている。居室３００の外には、各空調室内機２４ａのそれぞれに接続された所定数の空調室外機２４ｂが設置されている。居室３００に設置される照明２２は、９台に限定されず、居室３００に設置される空調室内機２４ａは、２台に限定されない。
【００１６】
照明２２および空調室内機２４ａは、居室３００の広さ等に応じてそれぞれ最適な台数が設置される。以下では、空調室内機２４ａと空調室外機２４ｂとの区別が不要な場合、空調室内機２４ａと空調室外機２４ｂとは、単に空調機２４とも称する。照明２２は、居室３００の照度を調節する環境調整装置（照明装置）の一例である。空調機２４は、居室３００の温度を調節する環境調整装置（空気調和装置）の一例である。
【００１７】
居室３００の壁面には、空調機２４の動作を制御する空調コントローラ２６と、照明２２の動作を制御する照明コントローラ２８とが設置されている。空調コントローラ２６および照明コントローラ２８は、ＬＡＮを介して制御装置１０による操作されるが、居室３００に居る人により操作されてもよい。空調コントローラ２６により、空調機２４の電源のオン／オフと、設定温度、風量、風向等の設定とが可能である。照明コントローラ２８により、照明２２の電源のオン／オフと、調光、調色等の設定とが可能である。
【００１８】
なお、空調機２４が、制御装置１０と有線または無線で接続され、制御装置１０からの指示を直接受ける機能を有する場合、制御装置１０は、空調コントローラ２６を介することなく、空調機２４を直接制御してもよい。また、照明２２が、制御装置１０と有線または無線で接続され、制御装置１０からの指示を直接受ける機能を有する場合、制御装置１０は、照明コントローラ２８を介することなく、照明２２を直接制御してもよい。
【００１９】
温度センサ１６は、居室３００において机２０の上など、人が滞在可能な高さに合わせて配置される。温度センサ１６の数は、６個に限定されず、居室３００の広さ等に応じて最適な台数が設置されてもよい。なお、居室３００内に１つの温度センサ１６が設置されてもよい。温度センサ１６を居室３００内で業務等をする人の高さに合わせて配置することで、人が実際に感じる温度に合わせて空調機２４を制御することができ、人に快適な温度環境を提供することができる。
【００２０】
例えば、制御装置１０は、ＬＡＮを介して電力監視装置３０に接続される。電力監視装置３０は、配電盤等に設置されたスマートメータ３２の出力に接続される。電力監視装置３０は、スマートメータ３２から送信される電力情報に基づいて、制御装置１０による制御対象である居室３００の３０分間の電力使用量（デマンド値）を予測する。
【００２１】
電力監視装置３０は、予測した予測値（電力使用量）が、予め設定された目標電力量を超える場合、予測値の目標電力量に対する超過量に応じて、例えば４種類のレベルのいずれかの警報を生成する。例えば、電力使用量の予測値は、居室３００で消費される総消費電力の予測値である。なお、警報のレベル数は、４種類に限定されず、１種類または２種類でもよい。なお、電力監視装置３０は、制御システム１００に含まれてもよい。
【００２２】
制御装置１０は、電力監視装置３０が警報を生成したか否かを所定の頻度で監視し、警報を検出した場合、警報が示す警報レベルを管理装置１８に送信する。管理装置１８は、制御装置１０から警報レベルを受信した場合、警報レベル（すなわち、電力の超過量）に応じて、消費電力を下げるための指示を制御装置１０に出力する。例えば、消費電力を下げるための指示は、照明２２の調光率の低下量または空調機２４の設定温度の変更量である。
【００２３】
管理装置１８は、ネットワークＮＷに接続された端末装置３４により設定される運転スケジュールと、上述した警報レベル（すなわち、電力の超過量）に応じた照明２２の調光率の低下量または空調機２４の設定温度の変更量を管理する。運転スケジュールの例は、図５および図７で説明し、警報レベルに応じた照明２２の調光率の低下量または空調機２４の設定温度の変更量の管理の例は、図８で説明する。
【００２４】
管理装置１８は、運転スケジュールを制御装置１０に送信し、運転スケジュールにしたがった照明２２および空調機２４の制御を、制御装置１０に実施させる。例えば、居室３００の環境を管理する管理者または居室３００内で業務を遂行する人等は、ネットワークＮＷに接続された端末装置３４のＷｅｂＵＩ（Web User Interface）を使用して、管理装置１８にアクセスし、運転スケジュール等を設定することができる。居室３００の環境とは、温度および照度（明るさ）である。例えば、端末装置３４は、パーソナルコンピュータやタブレット端末等であり、キーボートやポインティングデバイス等の入力装置およびディスプレイ等の出力装置を含む。
【００２５】
この実施形態では、制御装置１０は、照明２２および空調機２４の両方を制御するが、照明２２または空調機２４のいずれか一方を制御してもよい。また、居室３００が広く、多数の照明２２および多数の空調機２４が居室３００に設置される場合、制御システム１００は、複数の制御装置１０を有してもよい。この場合、複数の制御装置１０の各々に、所定数の照度センサ１２、所定数の人感センサ１４および所定数の温度センサ１６が割り当てられる。そして、複数の制御装置１０に共通の運転スケジュールを与えることで、複数の制御装置１０を用いる場合にも、居室３００の明るさおよび温度を均一に制御することができる。
【００２６】
さらに、居室３００内をアコーディオンカーテンや仕切り壁等で複数の空間に区分けする場合、それぞれの空間に対応する制御装置１０に運転スケジュールを与えることで、複数の空間毎に明るさおよび温度を制御することができる。また、制御システム１００が複数の居室３００の電力を制御する場合、居室３００毎に制御装置１０が設けられてもよい。
【００２７】
運転スケジュールおよび警報が発生した場合の照明２２および空調機２４の制御を、クラウドコンピュータとして機能する管理装置１８で管理することで、例えば、複数の制御装置１０を使用する場合にも、共通の管理装置１８に各種の設定項目を設定すればよい。これにより、管理者等は、制御装置１０にアクセスすることなく、各種の設定項目を設定することができる。
【００２８】
図２は、図１の各装置の接続関係の一例を示す接続図である。制御装置１０に接続される破線は、無線による接続を示す。この実施形態では、制御装置１０、空調コントローラ２６、照明コントローラ２８、端末装置３４および電力監視装置３０がＬＡＮ等のネットワークに接続され、管理装置１８は、ネットワークＮＷを介してＬＡＮ等のネットワークに接続される。ＬＡＮ等のネットワークは、有線であるが、無線でもよい。
【００２９】
例えば、空調コントローラ２６は、有線（制御信号線および電源線）で空調機２４に接続される。制御装置１０は、無線を介して、照度センサ１２、人感センサ１４および温度センサ１６から検出情報を受信する。制御装置１０は、無線機能を持つ照明２２を無線により制御する。照明コントローラ２８は、無線機能を持たない照明２２を、照明コントローラ２８を介して有線で接続する。
【００３０】
なお、空調コントローラ２６、照明コントローラ２８および電力監視装置３０のいずれかまたは複数は、ネットワークＮＷに接続されたＬＡＮとは別のネットワークを介して制御装置１０に接続されてもよい。この場合、ネットワークは、有線でもよく、無線でもよい。
【００３１】
図３は、図１の制御装置１０のハードウェア構成の一例を示すブロック図である。制御装置１０は、ＢＵＳに接続されたＣＰＵ（Central Processing Unit）１０１、ＲＯＭ（Read Only Memory）１０２、ＲＡＭ（Random Access Memory）１０３および無線モジュール１０４を有する。また、制御装置１０は、通信インタフェース（Ｉ／Ｆ）１０７、ＳＳＤ（Solid State Drive）１０８、アンテナインタフェース（Ｉ／Ｆ）１０５およびアンテナ１０６を有する。
【００３２】
ＣＰＵ１０１は、例えば、ＲＯＭ１０２に格納された制御プログラムを実行することで、制御装置１０の全体の動作を制御するとともに、照明２２および空調機２４を制御する。なお、ＣＰＵ１０１は、ＲＯＭ１０２に格納されたＩＰＬ(Initial Program Loader)等のブートプログラムを実行することで、制御プログラムをＳＳＤ１０８等からＲＡＭ１０３に転送し、ＲＡＭ１０３上の制御プログラムを実行してもよい。また、制御装置１０は、はＵＳＢメモリ等の記録媒体を接続するための図示しない入出力インタフェースを有してもよく、この場合、記録媒体には、ＣＰＵ１０１が実行する制御プログラムが格納されてもよい。
【００３３】
ＲＯＭ１０２には、ブートプログラムの他、制御装置１０に固有の情報（識別番号など）および値が変わらない固定値等が記憶される。ＲＡＭ１０３には、制御プログラムの他に、制御装置１０で使用するワークデータが記憶される。例えば、ワークデータは、照度センサ１２が計測した照度、人感センサ１４が検出した検出情報、温度センサ１６が計測した温度等を含む。ＳＳＤ１０８には、制御プログラムの他、照明２２および空調機２４の制御に使用する初期データ等が格納されてもよい。なお、ＳＳＤ１０８の代わりにＨＤＤ(Hard Disk Drive)が設けられてもよい。
【００３４】
無線モジュール１０４は、アンテナインタフェース１０５を介してアンテナ１０６に接続される。例えば、無線モジュール１０４は、ＣＰＵ１０１からの温度の読み出し要求に基づいて、温度センサ１６にパケットを送信し、温度センサ１６から受信する温度を示す温度情報をＣＰＵ１０１に送信する。
【００３５】
無線モジュール１０４は、ＣＰＵ１０１からの照度の読み出し要求に基づいて、照度センサ１２にパケットを送信し、照度センサ１２から受信する照度を示す照度情報をＣＰＵ１０１に送信する。無線モジュール１０４は、ＣＰＵ１０１からの読み出し要求に基づいて、人感センサ１４にパケットを送信し、人感センサ１４から受信する人感情報をＣＰＵ１０１に送信する。通信インタフェース１０７は、ＬＡＮおよびネットワークＮＷに接続され、ＣＰＵ１０１と、管理装置１８および空調コントローラ２６との間の通信を制御する。
【００３６】
なお、照度センサ１２、人感センサ１４および温度センサ１６の無線仕様が互いに異なる場合、制御装置１０は、無線仕様毎に無線モジュール１０４、アンテナインタフェース１０５およびアンテナ１０６を有してもよい。これにより、メーカー等が異なる様々な照度センサ１２、人感センサ１４および温度センサ１６を使用して、制御システム１００を構築することができる。
【００３７】
図１に示す管理装置１８のハードウェア構成は、図３と同様でもよい。但し、管理装置１８は、無線モジュール１０４、アンテナインタフェース１０５およびアンテナ１０６は含まなくてもよく、また、ＳＳＤの代わりにＨＤＤが設けられてもよい。さらに、管理装置１８は、キーボードやマウスが接続される図示しない入力インタフェースと、液晶ディスプレイ等の表示装置が接続される図示しない出力インタフェースとを有してもよい。
【００３８】
図４は、図１の制御装置１０の機能構成の一例を示すブロック図である。制御装置１０は、バス等を介して接続された第１制御部２０１、第２制御部２０２、第３制御部２０３、無線制御部２０４、通信制御部２０５および記憶部２０６を有する。第１制御部２０１、第２制御部２０２、第３制御部２０３、無線制御部２０４および通信制御部２０５は、図３に示すＣＰＵ１０１が制御プログラムを実行することにより実現される。記憶部２０６は、例えば、図３に示すＲＡＭ１０３およびＳＳＤ１０８の一方または両方により実現され、制御プログラムを記憶する領域２０７と、各種パラメータを記憶する領域２０８とが割り当てられている。
【００３９】
第２制御部２０２は、人感センサ１４により居室３００内の人の不在が検出された場合、照明２２の消費電力を削減するために照明２２が出力する光量（すなわち、調光率）の低下量を示す第１指示を第１制御部２０１に出力してもよい。また、第２制御部２０２は、人感センサ１４により居室３００内の人の不在が検出された場合、空調機２４の消費電力を削減するために空調機２４の設定温度の変更量を示す第１指示を第１制御部２０１に出力してもよい。設定温度の変更量は、暖房では負値であり、冷房では正値である。
【００４０】
なお、後述する外光補正連動が有効状態に設定された場合、第２制御部２０２は、人の不在の検出に基づく第１指示を出力する動作を実施しなくてもよい。第２制御部２０２は、第１指示を出力する代わりに、照度センサ１２が検出する照度に基づいて、照度を一定にさせる照明２２の光量（調光率）を示す第３指示を第１制御部２０１に出力してもよい。
【００４１】
また、後述する温度連動が有効状態に設定された場合、第２制御部２０２は、人の不在の検出に基づく第１指示を出力する動作を実施しなくてもよい。第２制御部２０２は、第１指示を出力する代わりに、温度センサ１６により検出される居室３００の温度に基づいて算出される空調機２４の設定温度の変更量を示す第６指示を第１制御部２０１に出力してもよい。
【００４２】
第３制御部２０３は、居室３００内で消費される電力使用量の予測値が目標電力を超える場合、照明２２の消費電力を削減するために照明２２が出力する光量（調光率）の低下量を示す第２指示を第１制御部２０１に出力してもよい。また、第３制御部２０３は、居室３００内で消費される電力使用量の予測値が目標電力を超える場合、空調機２４の消費電力を削減するために空調機２４の設定温度の変更量を示す第２指示を第１制御部２０１に出力してもよい。設定温度の変更量は、暖房では負値であり、冷房では正値である。なお、第３制御部２０３は、予測値の目標電力に対する超過量に応じて生成される複数の警報のレベル毎に、第２指示が示す変更量を変えてもよい。
【００４３】
また、図８に示すデマンド制御の設定画面で運転モードに設定温度変更モードが設定された場合、第３制御部２０３は、設定画面で設定された空調機２４の設定温度の変更量を示す第２指示を第１制御部２０１に出力してもよい。デマンド制御とは、居室３００の消費電力の予測値が目標電力を超えて警報が発生した場合に、警報レベルに応じた照明２２と空調機２４との制御である。
【００４４】
運転モードに送風モードが設定された場合、第３制御部２０３は、送風モードへの変更を示す第４指示を第１制御部２０１に出力してもよい。デマンド制御の設定画面で電源が無効状態に設定された場合、第３制御部２０３は、空調機２４の停止を示す第５指示を第１制御部２０１に出力してもよい。
【００４５】
第１制御部２０１は、予め設定された照明２２および空調機２４の運転スケジュールに基づいて、照明２２および空調機２４の動作を制御する。第１制御部２０１は、運転スケジュールに設定された照明２２の設定値（例えば、調光率）と、第１指示と、第２指示とに基づいて、照明２２に設定する設定値（例えば、調光率）を算出し、算出した設定を照明に設定してもよい。第１制御部２０１は、第３指示を受けた場合、照明２２が出力する光量（調光率）を、運転スケジュールに設定された光量の代わりに第３指示で示される光量に設定してもよい。
【００４６】
また、第１制御部２０１は、運転スケジュールに設定された空調機２４の設定値（例えば、設定温度）と、第１指示と、第２指示とに基づいて、空調機２４に設定する設定値（例えば、設定温度）を算出し、算出した設定を空調機２４に設定してもよい。
【００４７】
あるいは、第１制御部２０１は、運転スケジュールとは異なる条件で照明２２または空調機２４の動作を制御する手動モード中に、第３制御部２０３から第２指示を受信した場合、手動モードを解除してもよい。そして、第１制御部２０１は、運転スケジュールに基づく制御に移行し、運転スケジュールに設定された照明２２または空調機２４の設定値と、第１指示と、第２指示とに基づいて、照明２２または空調機２４に設定する設定値を算出してもよい。
【００４８】
第１制御部２０１は、第４指示または第５指示を受けた場合、第１指示にかかわりなく、第４指示または第５指示に基づいて空調機２４の設定を変更してもよい。さらに、第１制御部２０１は、運転スケジュールに設定された空調機２４の設定値（例えば、設定温度）と、第２指示と、第６指示とに基づいて、空調機２４に設定する設定値（例えば、設定温度）を算出し、算出した設定を空調機２４に設定してもよい。
【００４９】
第１制御部２０１、第２制御部２０２および第３制御部２０３を含む制御装置１０の動作の例は、図６、図９、図１０、図１４−図１６で説明する。
【００５０】
図５は、図１の照明２２の運転スケジュールの設定画面の一例を示す説明図である。図５に示す設定画面は、管理装置１８により管理され、クラウドコンピューティングによって端末装置３４のディスプレイに表示される。設定画面に表示される運転スケジュールの各項目は、端末装置３４を操作するユーザがポインティングデバイス等を操作することにより設定され、管理装置１８に保持される。
【００５１】
例えば、図５に示す運転スケジュールは、曜日毎に設定可能である。設定画面で設定された運転スケジュールは、例えば、設定が変更される毎に管理装置１８から制御装置１０に送信される。なお、制御装置１０は、設定画面で設定された運転スケジュールを所定の頻度（例えば、１０分）で管理装置１８から取得してもよい。制御装置１０は、管理装置１８から受信した運転スケジュールの各項目のパラメータを図３に示したＲＡＭ１０３等に書き込んで保持する。図５に示す設定画面において、変更可能な設定項目は、変更仕様の一例である。
【００５２】
照明２２を制御するための設定項目として、照明２２の点灯時刻、照明２２の消灯時刻、電源のオン／オフ、電球色、昼白色等の調色、調光率、人感連動の有無および外光補正連動の有無がある。電源、人感連動および外光補正連動は、画面上に白丸で示す設定スイッチが右側に位置する場合、有効状態を示し、設定スイッチが左側に位置する場合、無効状態を示す。
【００５３】
人感連動が有効状態に設定された場合、点灯保持時間、不在時点灯保持時間、不在時調光率１および不在時調光率２が設定可能になる。点灯保持時間、不在時点灯保持時間、不在時調光率１および不在時調光率は、図６で説明する。
【００５４】
図５では、照明２２の点灯時刻は８：００に設定され、照明２２の消灯時刻は２１：００に設定され、電源は有効状態に設定されている。調色は電球色２に設定され、調光率は８０％に設定されている。人感連動は有効に設定され、点灯保持時間は３０分に設定され、不在時点灯保持時間は２０分に設定されている。不在時調光率１は３０％に設定され、不在時調光率２は０％に設定されている。外光補正連動は無効状態に設定されている。外光補正連動が有効状態に設定された場合に有効になる下限調光率は１０％に設定されている。
【００５５】
外光補正連動が有効状態に設定された場合、下限調光率が設定可能になる。下限調光率は、外光補正制御により照明２２の光度を下げる場合の調光率の下限を示す。例えば、下限調光率が１０％に設定された場合、外光補正制御により照明２２の調光率が０％（すなわち消灯）と算出された場合にも、調光率は１０％に設定される。
【００５６】
制御装置１０は、外光補正連動が有効状態に設定された場合、運転スケジュールに設定された調光率（例えば、８０％）を無効にし、照度センサ１２が検出する照度に応じて調光率を制御する。例えば、照度センサ１２は、照明２２から照射される光と、照明２２以外から照射される光（例えば、日光）とを合わせた照度を検出する。そして、制御装置１０は、式（１）により調光率を算出し、算出した調光率を照明２２に設定する。
調光率（％）＝（ｍａｘ−照度）／（ｍａｘ−ｍｉｎ）＊１００  ‥（１）
式（１）において、符号ｍａｘは、外光補正連動時の照度の上限値（例えば、３００ルクス）であり、符号ｍｉｎは、外光補正連動時の照度の下限値（例えば、５０ルクス）であり、符号＊は積を示す。式（１）により、照明２２に指示する調光率は、照度が高いほど低くなり、照度が低いほど高くなる。
【００５７】
なお、照度が上限値ｍａｘ以上の場合、調光率は式（１）によらず、０％に設定される。また、照度が下限値ｍｉｎ以下の場合、調光率は式（１）によらず、１００％に設定される。外光補正連動では、制御装置１０は、例えば、１分毎に照度センサ１２から照度（瞬時値）を取得し、式（１）に基づいて調光率を算出する。また、制御装置１０は、調光率の変化速度を、照明２２を調光率０％から調光率１００％に３０秒で変化させるレートに設定する。例えば、制御装置１０は、調光率の変更量が１０％の場合、調光率を３秒掛けて変化させる。
【００５８】
なお、人感連動と外光補正連動とは、互いに排他的に設定可能であり、人感連動が有効状態に設定された場合、外光補正連動は有効状態にできず、外光補正連動が有効状態に設定された場合、人感連動は有効状態にできない。
【００５９】
図６は、図５の照明の運転スケジュールにおいて、人感連動が有効状態に設定された場合の照明２２の制御の一例を示す説明図である。図６に示す制御は、居室３００内の人の不在が検出された場合、例えば、図４の第２制御部２０２が、運転スケジュールに設定された内容に基づいて、第１制御部２０１に調光率の低下量を低下させる指示を出力することで実施される。なお、居室３００内の人の在が検出された場合、第２制御部２０２は、人の検出を示す情報を第１制御部２０１に出力し、第１制御部２０１は、照明２２を運転スケジュールの調光率に戻す。
【００６０】
図６の初期状態では、人感センサ１４からの検出情報に基づいて、制御装置１０が、居室３００に人が居ないことを検出し続け（人の不在を検出）、照明２２の明るさを不在時調光率２（例えば、０％：オフ）に設定している。
【００６１】
制御装置１０は、人が居ることを検出した場合（人の在を検出）、所定時間を掛けて、照明２２の明るさを、運転スケジュールで設定された調光率（例えば、８０％）に設定する。人感連動モードでは、制御装置１０は、調光率の変化速度を、照明２２を指定した調光率まで５段階で変化させる設定が可能である。変化速度については瞬間、２秒、８秒、３０秒、２分の５段階である。
【００６２】
制御装置１０は、人が居ることを検出してから点灯保持時間（例えば、３０分）を経過するまでは、人が居ないこと（不在）を検出しても人の不在を検出としない。点灯保持時間の経過後、制御装置１０は、人の不在を検出した場合、所定時間を掛けて、照明２２の明るさを、運転スケジュールで設定された不在時調光率１に設定する。さらに、制御装置１０は、照明２２の明るさを不在時調光率１に設定した後、人を検出することなく、不在時点灯保持時間（例えば、２０分）が経過した場合、所定時間を掛けて、照明２２の明るさを、運転スケジュールで設定された不在時調光率２に設定する。例えば、不在時調光率１は３０％であり、不在時調光率２は０％である。
【００６３】
図７は、空調機２４の運転スケジュールの設定画面の一例を示す説明図である。図７に示す設定画面は、図５の説明と同様に、管理装置１８により管理され、クラウドコンピューティングによって端末装置３４のディスプレイに表示される。そして、設定画面に表示される各項目が端末装置３４を操作するユーザ等により設定される。設定画面で設定された運転スケジュールは、例えば、設定が変更される毎に管理装置１８から制御装置１０に送信される。図７に示す運転スケジュールは、曜日毎に設定可能である。図７に示す設定画面において、変更可能な設定項目は、変更仕様の一例である。
【００６４】
空調機２４を制御するための設定項目として、運転の開始時刻（予約時刻）、運転の停止時刻、電源のオン／オフ、温度（設定温度）、運転モード、風量、風向、オプションの選択等がある。図５と同様に、電源は、画面上に白丸で示す設定スイッチが右側に位置する場合、有効状態を示す。運転モードは、自動、暖房、冷房、除湿、送風等があり、自動の場合、外気温等に応じて暖房または冷房のいずれかが選択される。
【００６５】
オプションとして、人感連動、省エネ優先または快適性優先のいずれかのモードが選択可能である。人感連動モードは、人感センサ１４を用いて居室３００内に人が居るか否かを検出し、人が居ない場合に暖房時には設定温度を下げ（例えば、２℃）、冷房時には設定温度を上げることで（例えば、２℃）、消費電力を削減するモードである。以下では、省エネ優先モードおよび快適性優先モードを、温度連動モードとも称する。図７には示していないが、人感連動モードが選択された場合、図１０で説明するように、人の不在が検出された場合の設定温度の変化量を設定する入力欄が設定画面に表示される。
【００６６】
省エネ優先モードは、例えば、暖房の場合、設定温度が室温より高い場合に室温を設定温度まで下げる制御を実施し、設定温度が室温より低い場合に制御を実施しないことで、消費電力の増加を抑制するモードである。省エネ優先モードの冷房では、設定温度が室温より低い場合に室温を設定温度まで上げる制御を実施し、設定温度が室温より高い場合に制御を実施しない。
【００６７】
快適性優先モードは、例えば、暖房の場合、設定温度が室温より高い場合に室温を設定温度まで下げる制御を実施し、設定温度が室温より低い場合に室温を設定温度まで上げる制御を実施することで、快適性を維持するモードである。快適性優先モードの冷房では、設定温度が室温より低い場合に室温を設定温度まで上げる制御を実施し、設定温度が室温より高い場合に室温を設定温度まで下げる制御を実施する。
【００６８】
図７では、運転の開始時刻は８：００に設定され、運転の停止時刻は２１：００に設定され、電源は有効状態に設定され、オプションは選択されていない。この場合、制御装置１０は、開始時刻に運転を開始し、運転スケジュールに設定された温度、運転モード、風量、風向にしたがって空調機２４を制御し、停止時刻に運転を停止する。
【００６９】
但し、電源が無効状態に設定されている場合、開始時刻、停止時刻および事前運転は無効になり、制御装置１０は、空調機２４の運転を制御しない。この場合、空調機２４は、空調コントローラ２６の操作により、運転が開始され、温度、運転モード、風量、風向が設定され、あるいは運転が停止される。なお、制御装置１０は、開始時刻に室温が設定温度になるように開始時刻前から事前運転を開始してもよい。
【００７０】
例えば、空調コントローラ２６による設定は、運転スケジュールによる設定より優先される。このため、運転スケジュールの設定画面で電源が有効状態に設定され、かつ、開始時刻前、または停止時刻後で、空調機２４が運転を停止している場合でも、空調コントローラ２６により、空調機２４の起動スイッチがオンされた場合、空調機２４は運転を開始する。同様に、運転スケジュールの設定画面で電源が有効状態に設定され、かつ、時刻が、開始時刻と停止時刻の間で、空調機２４が運転している場合でも、空調コントローラ２６により、空調機２４の起動スイッチがオフされた場合、空調機２４は運転を停止する。
【００７１】
また、空調機２４の運転中に、空調コントローラ２６により、温度、運転モード、風量、風向のいずれか１つまたは複数の設定が変更された場合、空調コントローラ２６の操作が、運転スケジュールの設定よりも優先される。但し、運転スケジュールの設定画面で電源が有効状態に設定されている場合、空調コントローラ２６により空調機２４がオフされた場合でも、運転スケジュールの開始時刻に基づいて、空調機２４の運転が開始される。
【００７２】
図８は、制御装置１０が警報を検出した場合に警報レベルに応じて実施するデマンド制御の設定画面の一例を示す説明図である。図８に示す設定画面は、図５の説明と同様に、管理装置１８により管理され、クラウドコンピューティングによって端末装置３４のディスプレイに表示される。そして、設定画面に表示される各項目が端末装置３４を操作するユーザ等により設定され、設定画面で設定された項目は、例えば、設定が変更される毎、または、管理装置１８が警報レベルを受信する毎に、管理装置１８から制御装置１０に送信される。なお、図８に示す設定画面は、警報レベル毎に存在し、図８は、警報レベル１に対する設定画面を示している。図８に示す設定画面において、変更可能な設定項目は、変更仕様の一例である。
【００７３】
デマンド制御のための設定項目として、目標電力、下限調光率、照明の調光変動値、空調の電源のオン／オフ、空調の運転モード、暖房時の設定温度（変更量）および冷房時の設定温度（変更量）等がある。調光率の下限を示す下限調光率は、０％から１００％の間で設定可能であり、複数の警報レベルで共通に設定される。調光変動値は、０％から−１００％の間で設定可能である。ここで、調光変動値の−０％は、調光率を変えないことを示し、調光変動率の−１００％は、照明２２を消灯することを示す。
【００７４】
図５と同様に、電源は、画面上に白丸で示す設定スイッチが右側に位置する場合、有効状態を示す。電源が有効状態に設定された場合、運転モードが有効になる。電源が無効状態に設定された場合、警報レベル毎に運転モードは無効になり、制御装置１０が警報を検出した場合、空調機２４の電源がオフされる。
【００７５】
運転モードは、設定温度変更モードと、図示していない送風モードがある。設定温度変更モードが選択された場合、暖房時の設定温度および冷房時の設定温度が有効になる。暖房時の設定温度は、デマンド制御が実施されていない場合に設定された設定温度に対する下げ幅を示し、例えば、０℃から−１０℃の間で設定可能である。冷房時の設定温度は、デマンド制御が実施されていない場合に設定された設定温度に対する上げ幅を示し、例えば、０℃から１０℃の間で設定可能である。運転モードが送風モードの場合、空調機２４は、デマンド制御時に送風状態になる。
【００７６】
図９は、図１の制御装置１０による照明２２の制御の一例を示す説明図である。制御装置１０は、デマンド制御を実施しない場合、すなわち、電力監視装置３０が生成する警報を検出しない場合、図４の第１制御部２０１の制御により、通常の自動制御のみを実施する。制御装置１０は、警報を検出した場合、第３制御部２０３から第１制御部２０１に出力される第２指示により、自動制御に加えてデマンド制御を実施する。
【００７７】
自動制御を実施する自動制御モードでは、人感連動および外光補正連動がともに無効状態の場合、図５に示した運転スケジュールにおいて、人感連動および外光補正連動の設定項目以外の項目である標準項目にしたがって照明２２の制御が実施される。人感連動および外光補正連動がともに無効状態での自動制御は、第１制御部２０１により実施される。例えば、図５に示した運転スケジュールでは、ある曜日の８時から２１時まで、照明２２が、電球色２に調色され、調光率８０％の明るさで点灯される。
【００７８】
人感連動が有効状態の場合、標準項目による照明２２の制御に加えて、第２制御部２０２から第１制御部２０１に出力される第１指示により、図６に示したように、人の在／不在に応じた調光率の制御が実施される。外光補正連動が有効状態の場合、第２制御部２０２から第１制御部２０１に出力される第３指示により、式（１）に示したように、照度センサ１２で検出される照度に応じて調光率が制御される。
【００７９】
一方、デマンド制御では、第３制御部２０３から第１制御部２０１に出力される第２指示により、自動制御により設定された調光率から、警報レベルに応じた調光変動値が差し引かれる。但し、引き下げ後の調光率が調光率の下限値以下になる場合、調光率は下限値に設定される。警報レベルは数字が大きいほど、予測した電力使用量の目標電力量に対する超過量が大きく、緊急性が高い。
【００８０】
図１０は、図１の制御装置１０による空調機２４の制御の一例を示す説明図である。制御装置１０は、デマンド制御を実施しない場合、すなわち、電力監視装置３０が生成する警報を検出しない場合、図４の第１制御部２０１の制御により、通常の自動制御のみを実施する。制御装置１０は、警報を検出した場合、第３制御部２０３から第１制御部２０１に出力される第２指示により、自動制御に加えてデマンド制御を実施する。
【００８１】
自動制御モードでは、人感連動および温度連動（省エネ優先モード、快適性優先モード）がともに無効状態の場合、図７に示した運転スケジュールにおいて、オプションが設定されていない場合の設定項目である標準項目にしたがって空調機２４の制御が実施される。人感連動および温度連動がともに無効状態での自動制御は、第１制御部２０１により実施される。例えば、図７に示した運転スケジュールでは、ある曜日の８時から２１時まで、設定温度が２５℃、運転モードが自動、風量が弱、風向が風向位置２で、空調機２４が運転される。
【００８２】
人感連動が有効状態の場合、第２制御部２０２から第１制御部２０１に出力される第１指示により、暖房運転時には、設定温度が標準項目の設定温度より例えば２℃下げられ、冷房運転時には、設定温度が標準項目の設定温度より例えば２℃上げられる。温度連動（省エネ優先モードまたは快適性優先モード）が有効状態の場合、第２制御部２０２から第１制御部２０１に出力される第６指示により、上述したように、それぞれのモードにしたがった温度制御が実施される。
【００８３】
一方、デマンド制御では、第３制御部２０３から第１制御部２０１に出力される第２指示により設定温度が調整される。例えば、図８に示したように、設定画面で電源がオンに設定され、運転モードが設定温度変更に設定された場合、制御装置１０は、警報レベルに応じた設定温度の変動値を、自動制御モードで設定された設定温度に加える。図８に示す例では、冷房時には、警報レベルにかかわりなく、設定温度が１℃上げられ、暖房時には、警報レベルが上がるにしたがい、設定温度が１℃ずつ下げられる。
【００８４】
但し、図８に示した設定画面で電源がオフに設定された場合、第３制御部２０３から第１制御部２０１に出力される第５指示により、制御装置１０は、警報を検出した場合、警報レベルにかかわりなく、空調機２４の電源をオフする。また、図８に示した設定画面で運転モードが送風に設定された場合、第３制御部２０３から第１制御部２０１に出力される第４指示により制御装置１０は、警報を検出した場合、警報レベルにかかわりなく、空調機２４を送風モードに設定する。
【００８５】
図１１は、図１の電力監視装置３０の動作の一例を示すフローチャートである。特に限定されないが、電力監視装置３０は、図１１に示す処理を、例えば、１秒間隔で繰り返し実行する。
【００８６】
まず、ステップＳ１０において、電力監視装置３０は、スマートメータ３２から電力情報を取得する。次に、ステップＳ１１において、電力監視装置３０は、取得した電力情報に基づいて、居室３００の３０分間の電力使用量（デマンド値）を予測する。
【００８７】
次に、ステップＳ１２において、電力監視装置３０は、予測した電力使用量が目標電力量を超えている場合、処理をステップＳ１３に移行し、予測した電力使用量が目標電力量以下の場合、処理をステップＳ１４に移行する。
【００８８】
ステップＳ１３において、電力監視装置３０は、予測される電力の超過量に応じて４種類のレベルのいずれかの警報を生成し、処理をステップＳ１０に戻す。例えば、電力監視装置３０は、予測した電力使用量が目標電力量を超えることが予測されている間、警報の内容をレジスタ等に保持し、あるいは、所定の電圧レベルの警報信号として出力する。ステップＳ１４において、電力監視装置３０は、予測した電力使用量が目標電力量以下に収まることが予測される場合、警報を生成せずに、処理をステップＳ１０に戻す。
【００８９】
図１２は、図１の制御装置１０の警報監視動作の一例を示すフローチャートである。すなわち、図１２は、制御装置１０の制御方法の一例を示す。図１２に示すフローチャートは、制御装置１０のＣＰＵ１０１が制御プログラムを実行することにより実現される。このため、図１２は、制御プログラムの内容を示していると言える。警報監視動作は、電力監視装置３０が生成する警報を監視し、警報に基づいた制御をする動作である。特に限定されないが、制御装置１０は、図１２に示す処理を、例えば、５秒間隔で繰り返し実行する。
【００９０】
まず、ステップＳ２０において、制御装置１０は、電力監視装置３０から警報の有無を取得する。例えば、制御装置１０は、電力監視装置３０が保持する警報の有無を示す警報情報を読み出してもよく、電力監視装置３０が出力する警報信号に基づいて警報を検出してもよい。次に、ステップＳ２１において、制御装置１０は、警報を検出した場合、処理をステップＳ２２に移行し、警報を検出しない場合、処理をステップＳ２４に移行する。
【００９１】
ステップＳ２２において、制御装置１０は、検出した警報の警報レベルと同じデマンド制御を実施中の場合、処理をステップＳ２０に戻す。また、制御装置１０は、デマンド制御を実施していない場合、または、検出した警報の警報レベルと同じデマンド制御を実施していない場合、処理をステップＳ２３に移行する。ステップＳ２３において、制御装置１０は、警報が示す警報レベルを管理装置１８に送信し、処理をステップＳ２０に移行する。ステップＳ２２の判定により、電力監視装置３０が連続して警報を生成する場合にも、警報レベルが管理装置１８に繰り返し送信されることを防止でき、デマンド制御への移行処理が繰り返し実施されることを防止できる。
【００９２】
一方、ステップＳ２４において、制御装置１０は、デマンド制御中の場合、処理をステップＳ２５に移行し、デマンド処理を実施していない場合、処理をステップＳ２０に戻す。ステップＳ２５において、制御装置１０は、警報が解除されたため、デマンド制御を停止し、処理をステップＳ２０に戻す。
【００９３】
図１３は、図１の管理装置１８の動作の一例を示すフローチャートである。図１３に示すフローチャートは、管理装置１８が内蔵するＣＰＵが管理プログラムを実行することにより実現される。このため、図１３は、管理プログラムの内容を示していると言える。管理装置１８は、図１３に示す動作を所定の頻度で繰り返し実行する。
【００９４】
まず、ステップＳ３０において、管理装置１８は、警報レベルを制御装置１０から受信した場合、処理をステップＳ３１に移行し、警報レベルを制御装置１０から受信していない場合、処理をステップＳ３２に移行する。ステップＳ３１において、管理装置１８は、警報レベルに応じた設定変更情報を制御装置１０に送信し、処理をステップＳ３２に移行する。例えば、設定変更情報は、図８に示した設定画面に設定された調光変動値、下限調光率、電源、運転モードおよび設定温度（暖房、冷房）である。
【００９５】
ステップＳ３２において、管理装置１８は、図５または図６に示す運転スケジュールが変更された場合、処理をステップＳ３３に移行し、運転スケジュールが変更されていない場合、処理をステップＳ３４に移行する。ステップＳ３３において、管理装置１８は、変更後の最新の運転スケジュールを制御装置１０に送信し、処理をステップＳ３４に移行する。管理装置１８は、制御装置１０からの問い合わせに基づいて、最新の運転スケジュールを制御装置１０に送信してもよく、運転スケジュールが変更される毎に、変更された運転スケジュールを制御装置１０に送信してもよい。
【００９６】
ステップＳ３４において、管理装置１８は、動作モードが自動制御モードから手動モードに変更された場合、処理をステップＳ３５に移行し、動作モードが自動制御モードの場合、処理を終了する。例えば、手動モードは、端末装置３４に表示される運転スケジュールの設定画面とは異なる手動設定画面を使用して、調光率、設定温度または空調機２４の運転モード等が変更された場合に、自動制御モードから移行される。ステップＳ３５において、管理装置１８は、自動制御モードを終了する指示と、手動モードで設定された設定内容とを制御装置１０に送信し、処理を終了する。なお、手動モードで設定された設定内容の制御装置１０への送信が、自動制御モードを終了する指示を兼ねていてもよい。
【００９７】
図１４は、図１の制御装置１０の制御動作の一例を示すフローチャートである。すなわち、図１４は、制御装置１０の制御方法の一例を示す。図１４に示すフローチャートは、制御装置１０のＣＰＵ１０１が制御プログラムを実行することにより実現される。このため、図１４は、制御プログラムの内容を示していると言える。制御装置１０は、図１４に示す動作を所定の頻度で繰り返し実行する。
【００９８】
まず、ステップＳ４０において、制御装置１０は、管理装置１８から警報レベルに応じた設定変更情報を受信した場合、処理をステップＳ４２に移行し、管理装置１８から警報レベルに応じた設定変更情報を受信していない場合、処理をステップＳ４１に移行する。ステップＳ４１において、制御装置１０は、デマンド制御を実施中の場合、処理をステップＳ４２に移行し、デマンド制御を実施していない場合、処理をステップＳ４４に移行する。
【００９９】
ステップＳ４２において、制御装置１０は、警報レベルに応じた照明２２の制御処理を実施し、処理をステップＳ４３に移行する。ステップＳ４２の処理の詳細は、図１５で説明する。ステップＳ４３において、制御装置１０は、警報レベルに応じた空調機２４の制御処理を実施し、処理をステップＳ４４に移行する。ステップＳ４３の処理の詳細は、図１６で説明する。
【０１００】
ステップＳ４４において、制御装置１０は、管理装置１８から運転スケジュールを受信した場合、処理をステップＳ４５に移行し、管理装置１８から運転スケジュールを受信していない場合、処理をステップＳ４６に移行する。なお、管理装置１８から運転スケジュールを受信していない場合、制御装置１０は、既に保持している運転スケジュールに基づく制御を実施する。ステップＳ４５において、制御装置１０は、受信した運転スケジュールに基づいて、保持している運転スケジュールを更新し、自動制御モードによる照明２２と空調機２４の制御を実施する。ステップＳ４５の後、処理はステップＳ４６に移行する。
【０１０１】
ステップＳ４６において、制御装置１０は、管理装置１８から手動モードでの設定変更の指示を受信した場合、処理をステップＳ４７に移行し、管理装置１８から手動モードでの設定変更の指示を受信していない場合、処理を終了する。ステップＳ４７において、制御装置１０は、自動制御モードでの制御を停止し、管理装置１８から受信した設定変更の指示に基づいて、照明２２の調光率、調色等を変更し、あるいは、空調機２４の設定温度、運転モード、風量等を変更する。
【０１０２】
図１５は、図１４のステップＳ４２の動作の一例を示すフローチャートである。すなわち、図１５は、警報レベルに応じた照明２２の制御処理を示す。
【０１０３】
まず、ステップＳ４２０において、制御装置１０は、動作モードが手動モードの場合、処理をステップＳ４２１に移行し、動作モードが手動モードでない場合（すなわち、自動制御モード）、処理をステップＳ４２２に移行する。ステップＳ４２１において、制御装置１０は、動作モードを手動モードから自動制御モードに切り換え、処理をステップＳ４２２に移行する。動作モードが手動モードの場合に、自動制御モードに切り換えてからデマンド制御を実施することで、制御装置１０は、手動モードで照明２２を制御中に警報を検出した場合にも、図９に示したデマンド制御を実施することができる。
【０１０４】
ステップＳ４２２において、制御装置１０は、図５に示した照明２２の運転スケジュールで設定された人感連動が有効状態の場合、処理をステップＳ４２３に移行し、人感連動が無効状態の場合、処理をステップＳ４２４に移行する。ステップＳ４２３において、制御装置１０は、図６に示した人感連動の制御により設定された調光率に、図９に示したデマンド制御による警報レベルに応じた調光変動値を加算し、加算により得た調光率を照明２２に設定し、処理を終了する。
【０１０５】
すなわち、警報を検出した場合であって、人感連動が有効状態の場合、制御装置１０は、人感連動の制御を実施しながら、調光率を下げる処理を実施することができる。この際、調光率の変動値は、警報のレベルに応じて異なるため、きめ細かい調光率の調整をすることができ、例えば、居室３００に人が居る場合、居室３００に居る人の快適性を損なうことなく、電力を抑える制御を実施することができる。
【０１０６】
ステップＳ４２４において、制御装置１０は、図５に示した照明２２の運転スケジュールで設定された外光補正連動が有効状態の場合、処理をステップＳ４２５に移行し、外光補正連動が無効状態の場合、処理をステップＳ４２６に移行する。ステップＳ４２５において、制御装置１０は、外光補正により設定された調光率に、図９に示したデマンド制御による警報レベルに応じた調光変動値を加算し、加算により得た調光率を照明２２に設定し、処理を終了する。
【０１０７】
すなわち、警報を検出した場合であって、外光補正連動が有効状態の場合、制御装置１０は、外光補正連動の制御を実施しながら、調光率を下げる処理を実施することができる。この際、調光率の変動値は、警報のレベルに応じて異なるため、きめ細かい調光率の調整をすることができ、例えば、居室３００に居る人の快適性を損なうことなく、電力を抑える制御を実施することができる。
【０１０８】
ステップＳ４２６において、制御装置１０は、図５に示した照明２２の運転スケジュールに設定された標準項目に基づいて設定された照明２２の調光率に、デマンド制御による警報レベルに応じた調光変動値を加算する。そして、制御装置１０は、加算により得た調光率を照明２２に設定し、処理を終了する。ステップＳ４２６においても、調光率の変動値は、警報のレベルに応じて異なるため、居室３００に居る人の快適性を損なうことなく、電力を抑える制御を実施することができる。
【０１０９】
図１６は、図１４のステップＳ４３の動作の一例を示すフローチャートである。すなわち、図１６は、警報レベルに応じた空調機２４の制御処理を示す。
【０１１０】
まず、ステップＳ４３０において、制御装置１０は、動作モードが手動モードの場合、処理をステップＳ４３１に移行し、動作モードが手動モードでない場合（すなわち、自動制御モード）、処理をステップＳ４３２に移行する。ステップＳ４３１において、制御装置１０は、動作モードを手動モードから自動制御モードに切り換え、処理をステップＳ４３２に移行する。動作モードが手動モードの場合に、自動制御モードに切り換えてからデマンド制御を実施することで、制御装置１０は、手動モードで空調機２４を制御中に警報を検出した場合にも、図１０に示したデマンド制御を実施することができる。
【０１１１】
ステップＳ４３２において、制御装置１０は、図７に示した空調機２４の運転スケジュールで設定された人感連動が有効状態の場合、処理をステップＳ４３３に移行し、人感連動が無効状態の場合、処理をステップＳ４３４に移行する。ステップＳ４３３において、制御装置１０は、図１０に示した人感連動の制御により設定された設定温度に、デマンド制御による警報レベルに応じた温度の変動値を加算し、加算により得た設定温度を空調機２４に設定し、処理を終了する。
【０１１２】
すなわち、警報を検出した場合であって、人感連動が有効状態の場合、制御装置１０は、人感連動の制御を実施しながら、設定温度に温度の変動値を加算する処理を実施することができる。この際、温度の変動値は、警報のレベルに応じて異なるため、きめ細かい温度の調整をすることができ、例えば、居室３００に人が居る場合、居室３００に居る人の快適性を損なうことなく、電力を抑える制御を実施することができる。
【０１１３】
ステップＳ４２４において、制御装置１０は、図７に示した空調機２４の運転スケジュールで設定された温度連動（省エネ優先モードまたは快適性優先モード）が有効状態の場合、処理をステップＳ４３５に移行する。制御装置１０は、温度連動が無効状態の場合、処理をステップＳ４３６に移行する。ステップＳ４３５において、制御装置１０は、図１０に示した温度連動の制御により設定された設定温度に、デマンド制御による警報レベルに応じた温度の変動値を加算し、加算により得た設定温度を空調機２４に設定し、処理を終了する。
【０１１４】
すなわち、警報を検出した場合であって、温度連動が有効状態の場合、制御装置１０は、温度連動の制御を実施しながら、設定温度に温度の変動値を加算する処理を実施することができる。この際、温度の変動値は、警報のレベルに応じて異なるため、きめ細かい温度の調整をすることができ、例えば、居室３００に居る人の快適性を損なうことなく、電力を抑える制御を実施することができる。
【０１１５】
なお、図８に示した設定画面で電源がオフに設定された場合、制御装置１０は、警報レベルにかかわりなく、空調機２４の電源をオフにし、処理を終了する。また、図８に示した設定画面で運転モードが送風に設定された場合、制御装置１０は、警報レベルにかかわりなく、空調機２４を送風モードに設定し、処理を終了する。電源のオフおよび送風モードへの設定は、警報レベル毎に制御可能である。したがって、設定温度の上げ／下げだけでなく、送風や停止といった、様々なデマンド制御を警報レベル毎に設定することができ、居室３００の環境や季節等に合わせて、居室３００に居る人の快適性を損なうことなく、電力を抑える制御を実施することができる。
【０１１６】
ステップＳ４３６において、制御装置１０は、図７に示した空調機２４の運転スケジュールに設定された標準項目に基づいて設定された照設定温度に、デマンド制御による警報レベルに応じた温度の変動値を加算する。そして、制御装置１０は、加算により得た設定温度を空調機２４に設定し、処理を終了する。
【０１１７】
以上、この実施形態では、電力使用量の予測値が目標電力量を超えた場合に発生する警報を検出した場合であって、人感連動が有効状態の場合、制御装置１０は、人感連動の制御を実施しながら、調光率を下げる処理を実施することができる。また、警報を検出した場合であって、外光補正連動が有効状態の場合、制御装置１０は、外光補正連動の制御を実施しながら、調光率を下げる処理を実施することができる。この際、調光率の変動値は、警報のレベルに応じて異なるため、きめ細かい調光率の調整をすることができ、例えば、居室３００に居る人の快適性を損なうことなく、電力を抑える制御を実施することができる。
【０１１８】
警報を検出した場合であって、人感連動が有効状態の場合、制御装置１０は、人感連動の制御を実施しながら、設定温度に温度の変動値を加算する処理を実施することができる。また、警報を検出した場合であって、温度連動が有効状態の場合、制御装置１０は、温度連動の制御を実施しながら、設定温度に温度の変動値を加算する処理を実施することができる。この際、温度の変動値は、警報のレベルに応じて異なるため、きめ細かい温度の調整をすることができ、例えば、居室３００に人が居る場合、居室３００に居る人の快適性を損なうことなく、電力を抑える制御を実施することができる。
【０１１９】
温度センサ１６を居室３００内で業務等をする人の高さに合わせて配置することで、人が実際に感じる温度に合わせて空調機２４を制御することができ、人に快適な温度環境を提供することができる。空調機２４のデマンド制御を、警報レベル毎に、設定温度の上げ／下げ、送風、停止といった様々な設定で実施することができ、居室３００の環境や季節等に合わせて、居室３００に居る人の快適性を損なうことなく、電力を抑える制御を実施することができる。
【０１２０】
動作モードが手動モードの場合に、自動制御モードに切り換えてからデマンド制御を実施することで、制御装置１０は、手動モードで照明２２を制御中に警報を検出した場合にも、図９に示したデマンド制御を実施することができる。また、動作モードが手動モードの場合に、自動制御モードに切り換えてからデマンド制御を実施することで、制御装置１０は、手動モードで空調機２４を制御中に警報を検出した場合にも、図１０に示したデマンド制御を実施することができる。
【０１２１】
運転スケジュールおよび警報が発生した場合の照明２２および空調機２４の制御を、クラウドコンピュータとして機能する管理装置１８で管理することで、例えば、複数の制御装置１０を使用する場合にも、共通の管理装置１８に各種の設定項目を設定すればよい。これにより、管理者等は、制御装置１０にアクセスすることなく、各種の設定項目を設定することができる。
【０１２２】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１２３】
１０    制御装置
１２    照度センサ
１４    人感センサ
１６    温度センサ
１８    管理装置
２０    机
２２    照明
２４    空調機
２４ａ  空調室内機
２４ｂ  空調室外機
２６    空調コントローラ
２８    照明コントローラ
３０    電力監視装置
３２    スマートメータ
１００  制御システム
１０１  ＣＰＵ
１０２  ＲＯＭ
１０３  ＲＡＭ
１０４  無線モジュール
１０５  アンテナインタフェース
１０６  アンテナ
１０７  通信インタフェース
１０８  ＳＳＤ
２０１  第１制御部
２０２  第２制御部
２０３  第３制御部
２０４  無線制御部
２０５  通信制御部
２０６  記憶部
３００  居室
【先行技術文献】
【特許文献】
【０１２４】
【特許文献１】特開２００１−１９７６６１号公報
【図１】
2020087867.tif 000003
【図２】
2020087867.tif 000004
【図３】
2020087867.tif 000005
【図４】
2020087867.tif 000006
【図５】
2020087867.tif 000007
【図６】
2020087867.tif 000008
【図７】
2020087867.tif 000009
【図８】
2020087867.tif 000010
【図９】
2020087867.tif 000011
【図１０】
2020087867.tif 000012
【図１１】
2020087867.tif 000013
【図１２】
2020087867.tif 000014
【図１３】
2020087867.tif 000015
【図１４】
2020087867.tif 000016
【図１５】
2020087867.tif 000017
【図１６】
2020087867.tif 000018